(57)【要約】【課題】造影剤濃度を解析するために要する処理の負荷を軽減すること。【解決手段】閾値判定部３８ｃは、予備スキャン実行時において生成された「特定位相の補正済み投影データ」に基づき造影剤濃度を解析し、当該造影剤濃度が所定の条件となったか否かを判定する。スキャン移行制御部３８ｄは、閾値判定部３８ｃによる判定結果に基づき、予備スキャンからメインスキャンに移行するように制御する。【選択図】図３
2014023962.tif 000002
【特許請求の範囲】
【請求項１】
Ｘ線を曝射するＸ線管球と、
複数チャンネル分のＸ線検出素子を配してなる検出素子列が被検体の体軸方向に沿って複数列配列され、前記Ｘ線管球から曝射されて前記被検体を透過したＸ線を検出するＸ線検出器と、
前記Ｘ線検出器によって検出されたＸ線から、逆投影処理を行なうための投影データを収集するデータ収集手段と、
造影剤が投与された被検体を撮影する本撮影の前に実行される予備撮影において、前記Ｘ線管球および前記Ｘ線検出器の回転中に、前記Ｘ線管球が特定位相となった時点で、当該Ｘ線管球からＸ線を曝射するように制御するＸ線制御手段と、
前記予備撮影において、前記データ収集手段によって収集された前記特定位相における投影データに基づき造影剤濃度を解析し、当該造影剤濃度が所定の条件となったか否かを判定する判定手段と、
前記判定手段による判定結果に基づき、前記予備撮影から前記本撮影に移行するように制御する撮影移行制御手段と、
前記撮影移行制御手段によって前記予備撮影から前記本撮影に移行したのちに前記データ収集手段によって収集された前記投影データを逆投影処理することにより画像を再構成する画像再構成手段と、
を備えたことを特徴とするＸ線コンピュータ断層撮影装置。
【請求項２】
前記Ｘ線管球および前記Ｘ線検出器の対である管球検出器対を複数有する場合、
前記Ｘ線制御手段は、前記予備撮影において、前記管球検出器対のＸ線管球のいずれかが前記特定位相になった時点で、当該Ｘ線管球からＸ線を曝射するように制御することを特徴とする請求項１に記載のＸ線コンピュータ断層撮影装置。
【請求項３】
前記判定手段は、前記造影剤濃度に対応する値として前記関心領域における前記投影データの輝度値に基づく値を算出し、当該算出した値と、前記所定の条件として設定された閾値とを比較することで、前記造影剤濃度が前記所定の条件となったか否かを判定することを特徴とする請求項１または２に記載のＸ線コンピュータ断層撮影装置。
【請求項４】
前記判定手段は、前記輝度値に基づく値として、前記関心領域における前記投影データの輝度値の平均値、輝度値の最大値、輝度値変化の平均値、または輝度値変化の最大値を算出することを特徴とする請求項３に記載のＸ線コンピュータ断層撮影装置。
【請求項５】
前記関心領域が複数設定される場合、
前記判定手段は、複数の関心領域それぞれにおける前記投影データの輝度値に基づく値と、前記所定の条件として前記複数の関心領域それぞれにて設定された閾値とを比較することを特徴とする請求項３または４に記載のＸ線コンピュータ断層撮影装置。
【請求項６】
前記Ｘ線制御手段は、前記Ｘ線管球が前記特定位相付近となった時点から所定の期間において、当該Ｘ線管球からＸ線を曝射するように制御し、
前記判定手段は、前記データ収集手段によって前記所定の期間に収集された複数の投影データを加算した加算データを解析することを特徴とする請求項１〜５のいずれか一つに記載のＸ線コンピュータ断層撮影装置。
【請求項７】
前記撮影移行制御手段によって前記予備撮影から前記本撮影に移行した時点で、前記Ｘ線管球から曝射されるＸ線を絞り込むコリメータの開口度、および／または、位置を変化させるように制御するコリメータ制御手段をさらに備えたことを特徴とする請求項１〜６のいずれか一つに記載のＸ線コンピュータ断層撮影装置。
【請求項８】
前記撮影移行制御手段によって前記予備撮影から前記本撮影に移行した時点において、前記被検体が横臥する寝台の位置を移動不可とする寝台制御手段をさらに備えたことを特徴とする請求項１〜７のいずれか一つに記載のＸ線コンピュータ断層撮影装置。
【請求項９】
予備撮影によって被検体に投与した造影剤の関心領域における濃度である造影剤濃度を解析し、前記造影剤濃度が所定の条件となった時点で本撮影を開始する撮影制御方法をコンピュータに実行させる撮影制御プログラムであって、
複数チャンネル分のＸ線検出素子を配してなる検出素子列が前記被検体の体軸方向に沿って複数列配列されたＸ線検出器によって検出された被検体を透過したＸ線から、逆投影処理を行なうための投影データを収集するデータ収集手順と、
前記予備撮影において、Ｘ線を曝射するＸ線管球および前記Ｘ線検出器の回転中に、前記Ｘ線管球が特定位相となった時点で、当該Ｘ線管球からＸ線を曝射するように制御するＸ線制御手順と、
前記予備撮影において、前記データ収集手順によって収集された前記特定位相における投影データに基づき造影剤濃度を解析し、当該造影剤濃度が所定の条件となったか否かを判定する判定手順と、
前記判定手順による判定結果に基づき、前記予備撮影から前記本撮影に移行するように制御する撮影移行制御手順と、
前記撮影移行制御手順によって前記予備撮影から前記本撮影に移行したのちに前記データ収集手順によって収集された前記投影データを逆投影処理することにより画像を再構成する画像再構成手順と、
をコンピュータに実行させることを特徴とする撮影制御プログラム。
【発明の詳細な説明】
【技術分野】
【０００１】
この発明は、Ｘ線コンピュータ断層撮影装置および撮影制御プログラムに関する。
【背景技術】
【０００２】
従来より、Ｘ線コンピュータ断層撮影装置（以下、Ｘ線ＣＴ装置、ＣＴ；Ｃｏｍｐｕｔｅｄ  Ｔｏｍｏｇｒａｐｈｙ）による撮影において、造影剤を用いた撮影（造影剤撮影）が行なわれている。造影剤撮影とは、被検体に造影剤を投与した後に、Ｘ線を照射して患部を撮影するものであり、これによって得られたデータから再構成されるＣＴ画像においては、造影剤によって特定の組織（例えば、血管や消化管など）が強調されているため、精度の高い画像診断が可能となる。
【０００３】
ここで、Ｘ線ＣＴ装置による造影剤撮影では、被検体に投与した造影剤が撮影部位に流入した時点で、ＣＴ画像を撮影するためのスキャン（以下、メインスキャン）を開始することが重要である。このため、メインスキャンの前に、予備のスキャン（以下、予備スキャン）を行なって造影剤の流入を検出することで、メインスキャンを自動的に開始する技術が知られている（例えば、特許文献１を参照）。
【０００４】
かかる技術においては、メインスキャンよりも低線量のＸ線を被検体に曝射する予備スキャンと、予備スキャンによって得られる投影データからＣＴ画像を再構成することが繰り返して行なわれる。そして、ＣＴ画像が再構成されるごとに、関心領域（ＲＯＩ；Ｒｅｇｉｏｎ  ｏｆ  ｉｎｔｅｒｅｓｔ）における画素値（ＣＴ値）を抽出して造影剤濃度を判定し、関心領域におけるＣＴ値が予め設定された閾値を超過した時点で、予備スキャンが停止され、メインスキャンが開始される。ここで、予備スキャンには、関心領域内のＣＴ値が閾値に達するまで連続してＸ線を曝射してスキャンを行なう「連続スキャン」と、関心領域内のＣＴ値が閾値に達するまで一定間隔でＸ線を曝射してスキャンを行なう「間欠スキャン」とがある。また、予備スキャン実行時には、通常、メインスキャン実行時よりも被検体の体軸方向に沿って薄いスライス厚にてＸ線が曝射される。
【０００５】
例えば、近年、被検体の体軸方向に沿って複数列のＸ線検出素子が配列されたＸ線検出器（例えば、体軸方向に１６０ｍｍにわたりＸ線検出素子が配列された面検出器など）が実用化の段階に入っている。このようなＸ線検出器を用いる場合、予備スキャン実行時には、メインスキャン実行時よりも薄いスライス厚（例えば、２ｍｍ）に対応するＸ線検出素子列に対してのみＸ線が曝射されてＣＴ画像が再構成される。
【先行技術文献】
【特許文献】
【０００６】
【特許文献１】特開２００３−２４５２７５号公報
【発明の概要】
【発明が解決しようとする課題】
【０００７】
ところで、上記した従来の技術は、予備スキャン実行時においてＣＴ画像を繰り返し再構成する必要があるので、造影剤濃度を解析するために要する処理の負荷が大きくなるという課題があった。
【０００８】
そこで、この発明は、上述した従来技術の課題を解決するためになされたものであり、造影剤濃度を解析するために要する処理の負荷を軽減することが可能になるＸ線コンピュータ断層撮影装置および撮影制御プログラムを提供することを目的とする。
【課題を解決するための手段】
【０００９】
上述した課題を解決し、目的を達成するために、本発明は、Ｘ線を曝射するＸ線管球と、複数チャンネル分のＸ線検出素子を配してなる検出素子列が被検体の体軸方向に沿って複数列配列され、前記Ｘ線管球から曝射されて前記被検体を透過したＸ線を検出するＸ線検出器と、前記Ｘ線検出器によって検出されたＸ線から、逆投影処理を行なうための投影データを収集するデータ収集手段と、造影剤が投与された被検体を撮影する本撮影の前に実行される予備撮影において、前記Ｘ線管球および前記Ｘ線検出器の回転中に、前記Ｘ線管球が特定位相となった時点で、当該Ｘ線管球からＸ線を曝射するように制御するＸ線制御手段と、前記予備撮影において、前記データ収集手段によって収集された前記特定位相における投影データに基づき造影剤濃度を解析し、当該造影剤濃度が所定の条件となったか否かを判定する判定手段と、前記判定手段による判定結果に基づき、前記予備撮影から前記本撮影に移行するように制御する撮影移行制御手段と、前記撮影移行制御手段によって前記予備撮影から前記本撮影に移行したのちに前記データ収集手段によって収集された前記投影データを逆投影処理することにより画像を再構成する画像再構成手段と、を備えたことを特徴とする。
【００１０】
また、本発明は、予備撮影によって被検体に投与した造影剤の関心領域における濃度である造影剤濃度を解析し、前記造影剤濃度が所定の条件となった時点で本撮影を開始する撮影制御方法をコンピュータに実行させる撮影制御プログラムであって、複数チャンネル分のＸ線検出素子を配してなる検出素子列が前記被検体の体軸方向に沿って複数列配列されたＸ線検出器によって検出された被検体を透過したＸ線から、逆投影処理を行なうための投影データを収集するデータ収集手順と、前記予備撮影において、Ｘ線を曝射するＸ線管球および前記Ｘ線検出器の回転中に、前記Ｘ線管球が特定位相となった時点で、当該Ｘ線管球からＸ線を曝射するように制御するＸ線制御手順と、前記予備撮影において、前記データ収集手順によって収集された前記特定位相における投影データに基づき造影剤濃度を解析し、当該造影剤濃度が所定の条件となったか否かを判定する判定手順と、前記判定手順による判定結果に基づき、前記予備撮影から前記本撮影に移行するように制御する撮影移行制御手順と、前記撮影移行制御手順によって前記予備撮影から前記本撮影に移行したのちに前記データ収集手順によって収集された前記投影データを逆投影処理することにより画像を再構成する画像再構成手順と、をコンピュータに実行させることを特徴とする。
【発明の効果】
【００１１】
本発明によれば、造影剤濃度を解析するために要する処理の負荷を軽減することが可能になる。
【図面の簡単な説明】
【００１２】
【図１】図１は、本実施例におけるＸ線ＣＴ装置の構成を説明するための図である。
【図２】図２は、予備スキャン実行時に造影剤濃度を解析する対象とするデータを説明するための図である。
【図３】図３は、本実施例におけるシステム制御部の構成を説明するための図である。
【図４】図４は、関心領域および移行条件の設定用ＧＵＩを説明するための図である。
【図５】図５は、心臓領域の造影効果および肺野領域の造影効果を説明するための図である。
【図６】図６は、本実施例における予備スキャンを説明するための図である。
【図７】図７は、閾値判定部を説明するための図である。
【図８】図８は、コリメータ調整部を説明するための図である。
【図９】図９は、本実施例におけるＸ線ＣＴ装置の処理を説明するための図である。
【図１０】図１０は、第一の変形例を説明するための図である。
【図１１】図１１は、第二の変形例を説明するための図である。
【発明を実施するための形態】
【００１３】
以下に添付図面を参照して、この発明に係るＸ線コンピュータ断層撮影装置および画像再構成方法の実施例を詳細に説明する。なお、以下では、Ｘ線コンピュータ断層撮影装置を、Ｘ線ＣＴ装置（ＣＴ；Ｃｏｍｐｕｔｅｄ  Ｔｏｍｏｇｒａｐｈｙ）と省略して記述する。
【実施例】
【００１４】
まず、本実施例におけるＸ線ＣＴ装置の構成について、図１を用いて説明する。図１は、本実施例におけるＸ線ＣＴ装置の構成を説明するための図である。図１に示すように、本実施例におけるＸ線ＣＴ装置は、架台装置１０と、寝台装置２０と、コンソール装置３０とを備える。
【００１５】
架台装置１０は、被検体ＰにＸ線を照射して投影データを収集する装置であり、架台制御部１１と、Ｘ線発生装置１２と、Ｘ線検出器１３と、データ収集部１４と、回転フレーム１５と、架台制御部１１とを有する。
【００１６】
回転フレーム１５は、Ｘ線発生装置１２とＸ線検出器１３とを被検体Ｐを挟んで対向するように支持し、後述する架台駆動部１１ｃによって被検体Ｐを中心した円軌道にて高速に回転する円環状のフレームである。
【００１７】
Ｘ線発生装置１２は、被検体ＰにＸ線を照射する装置であり、Ｘ線管球１２ａと、ウェッジ１２ｂと、コリメータ１２ｃとを有する。
【００１８】
Ｘ線管球１２ａは、Ｘ線管１２は、後述する高電圧発生部１１ａにより供給される高電圧により被検体Ｐの体軸方向（図１に示すＺ軸方向）に沿って円錐状、角錐状の広がりを有するＸ線ビーム（コーンビーム）を発生する真空管であり、回転フレーム１５の回転にともなって、コーンビームを被検体Ｐに対して曝射する。
【００１９】
ウェッジ１２ｂは、Ｘ線管球１２ａから曝射されたＸ線のＸ線量を調節するためのＸ線フィルタである。
【００２０】
コリメータ１２ｃは、後述するコリメータ調整部１１ｂの制御により、ウェッジ１２ｂによってＸ線量が調節されたＸ線の照射範囲を絞り込むためのスリットである。
【００２１】
Ｘ線検出器１３は、Ｘ線発生装置１２から照射され被検体Ｐを透過したＸ線の強度分布を示すＸ線強度分布データを検出する２次元アレイ型検出器（面検出器）であり、チャンネル方向（図１に示すＹ軸方向）に配列されたＸ線検出素子である検出素子列が被検体Ｐの体軸方向（図１に示すＺ軸方向）に沿って複数列配列されている。例えば、本実施例では、Ｘ線検出器１３は、被検体Ｐの体軸方向に沿って３２０列に配列された検出素子列を有し、被検体Ｐを透過したＸ線強度分布データを広範囲に検出する。
【００２２】
データ収集部１４は、ＤＡＳ（data  acquisition  system）であり、Ｘ線検出器１３により検出されたＸ線強度分布データに対して、増幅処理やＡ／Ｄ変換処理などを行なって投影データを生成し、生成した投影データを後述するコンソール装置３０に送信する。
【００２３】
架台制御部１１は、後述するスキャン制御部３３の制御のもと、Ｘ線発生装置１２および回転フレーム１５の動作を制御する装置であり、高電圧発生部１１ａと、コリメータ調整部１１ｂと、架台駆動部１１ｃとを有する。
【００２４】
高電圧発生部１１は、Ｘ線管球１２ａに高電圧を供給する装置であり、コリメータ調整部１１ｂは、コリメータ１２ｃの開口度および位置を調整することによりＸ線発生装置１２から被検体Ｐに照射されるＸ線の照射範囲を調整する装置である。例えば、コリメータ調整部１１ｂは、コリメータ１２ｃの開口度を調整することにより、Ｘ線の照射範囲（コーン角）を狭めて被検体ＰにＸ線を照射する。
【００２５】
架台駆動部１１ｃは、回転フレーム１５を回転駆動させることによって、被検体Ｐを中心とした円軌道上でＸ線発生装置１２とＸ線検出器１３とを旋回させる。
【００２６】
寝台装置２０は、被検体Ｐを載せる装置であり、天板２２と、寝台駆動装置２１とを有する。天板２２は、被検体Ｐが載置される板であり、寝台駆動装置２１は、後述するスキャン制御部３３の制御のもと、天板２２をＺ軸方向へ移動することにより、被検体Ｐを回転フレーム１５内に移動させる。
【００２７】
コンソール装置３０は、操作者によるＸ線ＣＴ装置の操作を受け付けるとともに、架台装置１０によって収集された投影データから被検体Ｐの内部形態を表すＣＴ画像を再構成する装置であり、入力装置３１と、表示装置３２と、スキャン制御部３３と、前処理部３４と、投影データ記憶部３５と、画像再構成処理部３６と、画像記憶部３７と、システム制御部３８とを有する。
【００２８】
入力装置３１は、Ｘ線ＣＴ装置の操作者が各種指示や各種設定の入力に用いるマウスやキーボードなどを有し、操作者から受け付けた指示や設定の情報を、システム制御部３８に転送する。
【００２９】
具体的には、本実施例におけるＸ線ＣＴ装置を用いて造影剤撮影が行なわれる際に、入力装置３１は、「被検体Ｐに投与された造影剤の濃度を解析するための予備スキャン」実行時における解析対象となる関心領域の設定を受け付ける。また、入力装置３１は、予備スキャンから「造影剤が撮像部位に流入した被検体ＰのＣＴ画像を再構成するためのメインスキャン」へ移行するための移行条件の設定を受け付ける。なお、入力装置３１は、メインスキャンの終了条件（例えば、架台装置１０にて収集された投影データの収集数が所定の収集数となった時点でメインスキャンを終了するなど）も、操作者から受け付ける。
【００３０】
表示装置３２は、操作者によって参照されるモニタであり、システム制御部３８による制御のもと、ＣＴ画像などを操作者に表示したり、入力装置３１を介して操作者から各種設定を受け付けるためのＧＵＩ（Graphical  User  Interface）を表示したりする。
【００３１】
具体的には、本実施例において、表示装置３２は、造影剤濃度を解析するため関心領域の設定および予備スキャンからメインスキャンに移行するための移行条件の設定を操作者が入力するためのＧＵＩを表示する。
【００３２】
前処理部３４は、データ収集部１４によって生成された投影データに対して、対数変換処理、オフセット補正、感度補正、ビームハードニング補正などの補正処理を行なう。
【００３３】
投影データ記憶部３５は、前処理部３４によって補正処理された投影データを記憶する。なお、以下では、投影データ記憶部３５が記憶する「補正処理された投影データ」を「補正済み投影データ」と記す。
【００３４】
画像再構成処理部３６は、投影データ記憶部３５が記憶する補正済み投影データを逆投影処理することでＣＴ画像を再構成する。
【００３５】
画像記憶部３７は、画像再構成処理部３６が再構成したＣＴ画像を記憶する。
【００３６】
スキャン制御部３３は、システム制御部３８のもと、架台制御部１１、データ収集部１４および寝台駆動装置２１の動作を制御する。具体的には、スキャン制御部３３は、システム制御部３８のもと、架台制御部１１を制御することにより、被検体Ｐの撮影時において、回転フレーム１５を回転させたり、Ｘ線管球１２ａからＸ線を曝射させたり、コリメータ１２ｃの開口度および位置の調整を行なったりする。より具体的には、スキャン制御部３３は、システム制御部３８のもと架台制御部１１を制御することにより、造影剤撮影における予備スキャンおよびメインスキャンを制御するが、これについては後に詳述する。
【００３７】
また、スキャン制御部３３は、システム制御部３８のもと、データ収集部１４の増幅処理やＡ／Ｄ変換処理などを制御する。また、スキャン制御部３３は、システム制御部３８のもと、被検体Ｐの撮影時において、寝台駆動装置２１を制御することにより、天板２２を移動させる。
【００３８】
システム制御部３８は、架台装置１０、寝台装置２０およびコンソール装置３０の動作を制御することによって、Ｘ線ＣＴ装置の全体制御を行う。具体的には、システム制御部３９は、スキャン制御部３３を制御することで、予備スキャンおよびメインスキャンを実行させ、架台装置１０から投影データを収集する。また、システム制御部３８は、前処理部３４、画像再構成処理部３６を制御することで、コンソール装置３０における画像処理を制御する。また、システム制御部３８は、投影データ記憶部３５が記憶する補正済み投影データや、画像記憶部３７が記憶するＣＴ画像を、表示装置３２に表示するように制御する。
【００３９】
ここで、本実施例におけるＸ線ＣＴ装置は、予備スキャンによって被検体に投与した造影剤の関心領域における濃度（造影剤濃度）を解析し、造影剤濃度が設定条件となった時点でメインスキャンを開始するが、造影剤濃度を解析するために要する処理の負荷を軽減することが可能になることに主たる特徴がある。以下、この主たる特徴について図２〜図１０を用いて説明する。なお、図２は、予備スキャン実行時に造影剤濃度を解析する対象とするデータを説明するための図であり、図３は、本実施例におけるシステム制御部の構成を説明するための図であり、図４は、関心領域および移行条件の設定用ＧＵＩを説明するための図であり、図５は、心臓領域の造影効果および肺野領域の造影効果を説明するための図であり、図６は、本実施例における予備スキャンを説明するための図であり、図７は、閾値判定部を説明するための図であり、図８は、コリメータ調整部を説明するための図である。
【００４０】
まず、本実施例におけるＸ線ＣＴ装置は、予備スキャン実行時に造影剤濃度を解析する対象とするデータとして、投影データ記憶部３５が記憶する補正済み投影データを用いる。具体的には、本実施例におけるＸ線ＣＴ装置は、同一投影方向に対応する補正済み投影データを用いて造影剤濃度を解析する。より具体的には、本実施例におけるＸ線ＣＴ装置は、回転フレーム１５の回転時において、Ｘ線管球１２ａが特定位相となった時点で曝射したＸ線の検出データから生成された補正済み投影データを用いて造影剤濃度を解析する。
【００４１】
例えば、本実施例におけるＸ線ＣＴ装置は、図２に示すように、Ｘ線管球１２ａが被検体Ｐの背側からＸ線を曝射した際にＸ線検出器１３が検出したＸ線から、データ収集部１４および前処理部３４が生成した補正済み投影データを用いて造影剤濃度を解析する。ここで、補正済み投影データは、Ｘ線検出器１３が被検体Ｐの体軸方向に沿って幅を有する面検出器であることから、図２に示すように、体軸方向に広い範囲で被検体Ｐの造影状況を確認することができる。
【００４２】
そこで、本実施例におけるシステム制御部３８は、補正済み投影データを用いて造影剤濃度を解析するために、図３に示すように、表示制御部３８ａと、設定情報記憶部３８ｂと、閾値判定部３８ｃと、スキャン移行制御部３８ｄとを有する。
【００４３】
表示制御部３８ｂは、予備スキャンにて造影剤濃度を解析するため関心領域の設定および予備スキャンからメインスキャンに移行するための移行条件の設定を操作者が入力するためのＧＵＩを、表示装置３２にて表示するように制御する。例えば、表示装置３２は、表示制御部３８ｂの制御のもと、図４に示すような「関心領域および移行条件の設定用ＧＵＩ」を表示する。
【００４４】
ここで、「関心領域および移行条件の設定用ＧＵＩ」には、操作者から関心領域を受け付けるために参照される補正済み投影データ（参照画像）を表示するための「参照画像表示領域」（図４の（１）参照）があり、操作者から移行条件の設定を受け付けるための「移行条件設定領域」（図４の（２）参照）があり、予備スキャン開始後に生成された補正済み投影データの関心領域における平均輝度値のプロットを表示する「プロット表示領域」（図４の（３）参照）がある。
【００４５】
例えば、操作者は、造影剤を投与前に、図２に示す位置にてＸ線管球１２ｂを移動させたうえでＸ線を被検体Ｐに曝射させることで、参照画像としての補正済み投影データを生成させる。そして、表示制御部３８ａは、投影データ記憶部３５から参照画像として生成された補正済み投影データを読み出して、「参照画像表示領域」にて表示させる。
【００４６】
または、操作者は、造影剤を投与前に、被検体Ｐを撮影して、ＣＴ画像を再構成させる。そして、表示制御部３８ａは、ＣＴ画像を再構成する際に用いられた補正済み投影データのうち、特定位相（例えば、Ｘ線管球１２ａが被検体Ｐの背側となった位相）にて生成された補正済み投影データを、投影データ記憶部３５から読み出して、「参照画像表示領域」にて表示させる。
【００４７】
そして、操作者は、「参照画像表示領域」に表示された参照画像を参照して、入力装置３１（例えば、マウス）を用いて、造影効果を観察するための関心領域を設定する。例えば、心臓および肺野における血流動態を観察したい場合、操作者は、図４に示すように、心臓領域の造影効果を観察するための関心領域「ＲＯＩ−１」を設定し、さらに、肺野領域の造影効果を観察するための関心領域「ＲＯＩ−２」を設定する。
【００４８】
そして、関心領域を設定した操作者は、「移行条件設定領域」において移行条件を設定する。
【００４９】
ここで、本実施例においては、造影剤濃度を解析するための値として、予備スキャンにおいて時系列に沿って順次生成される補正済み投影データの輝度値に基づく値を用いる。例えば、造影効果を解析するための値として、補正済み投影データの関心領域における輝度値すべての平均値（平均輝度値）を用いる場合、心臓領域（ＲＯＩ−１）の造影効果および肺野領域（ＲＯＩ−２）の造影効果は、血流動態から、図５に示す平均輝度値の変化として表現されると考えられる。すなわち、造影剤は、右心系を通過したのちに肺野に到達し、そののち左心系を通過する。したがって、心臓領域（ＲＯＩ−１）の平均輝度値は、右心系通過から左心系通過にかけて緩やかに上昇する（図５の実線参照）。また、肺野領域（ＲＯＩ−２）の平均輝度値は、肺野到達時に急激に上昇する（図５の点線参照）。
【００５０】
このため、例えば、「移行条件設定領域」には、図４に示すように、設定された関心領域（ＲＯＩ−１およびＲＯＩ−２）それぞれに対して移行条件としての閾値を入力するため「テキストボックス」が配置される。また、「移行条件設定領域」には、図４に示すように、閾値として、「平均輝度値」を用いるか、「平均輝度値変化（単位時間あたりの平均輝度値の変化）」を用いるかを選択するための「ラジオボタン」が配置される。また、「移行条件設定領域」には、図４に示すように、遅延時間を入力するための「テキストボックス」が配置される。
【００５１】
例えば、心臓領域の平均輝度値と、肺野領域の平均輝度値と上昇度合いの違いを考慮して、操作者は、図４に示す例では、ＲＯＩ−１における平均輝度値に対して「閾値：１００」を設定し、ＲＯＩ−２における平均輝度値に対して「閾値：１１０」を設定し、遅延時間と「０秒」を設定する。
【００５２】
これにより、図４に示す例では、被検体Ｐに造影剤を投与して実行される予備スキャンにおいて、『「時系列に沿って順次生成された特定位相補正済み投影データ」のＲＯＩ−１における平均輝度値が「１００」以上となった時点、または、「時系列に沿って順次生成された特定位相補正済み投影データ」のＲＯＩ−２における平均輝度値が「２００」以上となった時点から直ちにメインスキャンに移行する』という移行条件が設定されたこととなる。なお、遅延時間が「１０秒」として設定された場合には、『ＲＯＩ−１またはＲＯＩ−２における平均輝度値のいずれかが対応する閾値以上となった時点から「１０秒」経過した時点にて、メインスキャンに移行する』という移行条件が設定されたこととなる。
【００５３】
また、操作者により「平均輝度値変化」が選択されてＲＯＩ−１およびＲＯＩ−２それぞれに閾値が設定された場合、移行条件は、「ＲＯＩ−１またはＲＯＩ−２における平均輝度値変化のいずれかが対応する閾値以上となった時点から設定された遅延時間を経過した時点にてメインスキャンに移行」となる。
【００５４】
なお、閾値を用いた移行条件としては、「ＲＯＩ−１およびＲＯＩ−２における輝度値に基づく値の両方が対応する閾値以上となった時点から設定された遅延時間を経過した時点にてメインスキャンに移行」である場合であってもよい。
【００５５】
また、本実施例では、造影効果を解析するために、補正済み投影データの輝度値に基づく値として、平均輝度値または平均輝度値変化を用いる場合について説明したが、本発明はこれに限定されるものではなく、例えば、補正済み投影データの輝度値に基づく値として、関心領域における最大輝度値や、関心領域における最大輝度値変化を用いる場合であってもよい。この場合、操作者は、最大輝度値や、最大輝度値変化に対応する閾値を設定する。
【００５６】
また、本実施例では、造影効果を解析する関心領域が２つ設定される場合について説明したが、本発明はこれに限定されるものではなく、例えば、関心領域が１つのみ設定される場合や、関心領域が３つ以上設定される場合であってもよい。また、閾値は、関心領域が複数設定された場合であっても、一部の関心領域についてのみ設定される場合であってもよい。
【００５７】
表示制御部３８ａは、操作者によって設定された関心領域の情報（具体的には、補正済み投影データ上の座標データ）および移行条件の情報を、図３に示す設定情報記憶部３８ｂに格納する。
【００５８】
設定情報記憶部３８ｂは、上述した関心領域の情報および移行条件（平均輝度値または平均輝度値変化に対して設定された閾値）の情報を記憶する。さらに、設定情報記憶部３８ｂは、予備スキャンにおいて解析対象となる補正済み投影データを設定するためのＸ線管球１２ａの特定位相（上述）も、操作者から入力装置３１を介して受け付けて記憶する。例えば、本実施例においては、設定情報記憶部３８ｂは、Ｘ線管球１２ａが回転により被検体Ｐの背側となる位相を、特定位相として記憶する。
【００５９】
設定情報記憶部３８ｂに関心領域、移行条件が格納されたのち、操作者から入力装置３１を介して予備スキャンの開始指示を受け付けると、システム制御部３８は、スキャン制御部３３を制御することにより、架台装置１０にて予備スキャンを開始させる。
【００６０】
ここで、高電圧発生部１１ａは、図６に示すように、Ｘ線管球１２ａが回転フレーム１５の回転により、特定位相となった時点でのみ、Ｘ線管球１２ａに対してＸ線を発生するための高電圧を供給する。すなわち、本実施例における予備スキャンでは、図６に示すように、回転フレーム１５の回転（図中では時計周り）により、Ｘ線管球１２ａが特定位相（背側）となった時点でのみ、Ｘ線が曝射される。これにより、Ｘ線検出器１３は、予備スキャン実行時において、Ｘ線管球１２ａが特定位相となった時点でのみＸ線を検出し、データ収集部１４は、特定位相における投影データのみを生成し、前処理部３４は、特定位相における補正済み投影データのみを生成して投影データ記憶部３５に格納する。
【００６１】
図３に戻って、閾値判定部３８ｃは、投影データ記憶部３５が記憶する「特定位相における補正済み投影データ」を読み出す。そして、閾値判定部３８ｃは、「特定位相における補正済み投影データ」の関心領域を、設定情報記憶部３８ｂが記憶する関心領域の座標を参照して特定し、特定した関心領域の輝度値に基づく値を算出する。
【００６２】
例えば、図７の（Ａ）に示すように、閾値判定部３８ｃは、Ｘ線管球１２ａが被検体Ｐの背側から曝射したＸ線を検出して生成された「特定位相における補正済み投影データ」において、「ＲＯＩ−１の平均輝度値」および「ＲＯＩ−２の平均輝度値」を算出する。
なお、表示制御部３８ａは、「特定位相における補正済み投影データ」を、上述した「参照画像表示領域」（図４の（１）参照）にて表示させる。また、表示制御部３８ａは、閾値判定部３８ｃが算出した平均輝度値を、上述した「プロット表示領域」（図４の（３）参照）にて表示させる。
【００６３】
そして、閾値判定部３８ｃは、平均輝度値が、移行条件となったか否かを判定する。
【００６４】
すなわち、閾値判定部３８ｃは、設定情報記憶部３８ｂが記憶する移行条件（「ＲＯＩ−１の閾値：１００、ＲＯＩ−２の閾値：１１０、遅延時間：０秒」）を参照して、判定処理を行なう。例えば、閾値判定部３８ｃは、図７の（Ｂ）に示すように、ＲＯＩ−１の平均輝度値が「閾値：１００」に到達する前に、ＲＯＩ−２の平均輝度値が「閾値：１１０」に到達した時点を、移行条件となった時点として判定する。
【００６５】
図３に戻って、スキャン移行制御部３８ｄは、閾値判定部３８ｃによって移行条件となったと判定された時点で、メインスキャンに移行するように、スキャン制御部３３を制御する。具体的には、スキャン制御部３３は、メインスキャン実行時において、Ｘ線管球１２ａからのＸ線曝射が特定位相以外においても実行されるように架台制御部１１を制御する。
【００６６】
なお、スキャン制御部３３は、操作者が入力装置３１を用いて入力した設定情報を、システム制御部３８を介して受け付けて、予備スキャンおよびメインスキャンにおけるコリメータ１２ｃの開口度や位置を調整するようにコリメータ調整部１１ｂを制御してもよい。例えば、操作者は、予備スキャンのＸ線照射範囲を、メインスキャンの撮像部位における体軸方向の中心位置（Mid  plane）に対して設定する。
【００６７】
上述したコリメータ調整部１１ｂは、コリメータ１２ｃを調整することにより、図８の（Ａ）に示すように、Ｘ線管球１２ａの焦点から曝射されウェッジ１２ｂによってＸ線量が調整されたＸ線の照射範囲を調整することで、Ｘ線検出器１３によるＸ線検出範囲を調整する。すなわち、操作者は、予備スキャンにおけるＸ線照射範囲を設定することで、予備スキャンにおけるＸ線検出器１３の体軸方向におけるＸ線検出範囲を設定する。
【００６８】
例えば、操作者により、予備スキャンとメインスキャンとにおいて、Ｘ線照射範囲を同一とすると設定された場合（図８の（Ｂ）参照）、コリメータ調整部１１ｂは、コリメータ１２ｃの調整処理を行なわない。
【００６９】
また、操作者により、予備スキャンとメインスキャンとにおいて、予備スキャンのＸ線照射範囲をMid  planeを中心に狭めるように設定された場合（図８の（Ｃ）参照）、コリメータ調整部１１ｂは、コリメータ１２ｃの位置を固定したまま、予備スキャン実行時においてコリメータ１２ｃの開口度を小さくするように調整し、メインスキャン実行時においてコリメータ１２ｃの開口度を大きくするように調整する。これにより、Ｘ線検出器１３によってＸ線検出範囲は、例えば、予備スキャン実行時では１２０列分となり、メインスキャン実行時では３２０列分となる。
【００７０】
また、操作者により、予備スキャンとメインスキャンとにおいて、予備スキャンのＸ線照射範囲を狭めたうえでMid  planeを中心に移動するように設定された場合（図８の（Ｄ）参照）、コリメータ調整部１１ｂは、予備スキャン実行時においてコリメータ１２ｃの開口度を小さくするとともに、コリメータ１２ｃの位置をMid  planeから移動するように調整する。また、コリメータ調整部１１ｂは、メインスキャン実行時においてコリメータ１２ｃの開口度を大きくするとともに、コリメータ１２ｃの位置をMid  planeに戻すように調整する。これにより、Ｘ線検出器１３によってＸ線検出範囲は、例えば、予備スキャン実行時ではMid  planeの片方のみの１２０列分となり、メインスキャン実行時では３２０列分となる。
【００７１】
そして、メインスキャン実行時において、画像再構成処理部３６は、投影データ記憶部３５が記憶する全投影方向からの補正済み投影データから逆投影処理によりＣＴ画像を再構成し、再構成したＣＴ画像を画像記憶部３７に格納する。そして、表示制御部３８ａは、画像記憶部３７が記憶するＣＴ画像を、表示装置３２にて表示するように制御する。
【００７２】
続いて、図９を用いて、本実施例におけるＸ線ＣＴ装置の処理の流れについて説明する。図９は、本実施例におけるＸ線ＣＴ装置の処理を説明するための図である。
【００７３】
図９に示すように、本実施例におけるＸ線ＣＴ装置は、操作者から造影剤濃度の解析対象となる関心領域およびメインスキャンに移行するための移行条件を受け付けたのちに、予備スキャンの開始要求を受け付けると（ステップＳ１０１肯定）、スキャン制御部３３は、システム制御部３８の制御のもと、予備スキャンを開始する（ステップＳ１０２）。
【００７４】
そして、スキャン制御部３３の制御のもと、Ｘ線管球１２ａは、特定位相においてＸ線を曝射し、前処理部３４は、特定位相における補正済み投影データを生成する（ステップＳ１０３）。
【００７５】
続いて、閾値判定部３８ｃは、補正済み投影データの関心領域における平均輝度値を算出し（ステップＳ１０４）、算出した平均輝度値が移行条件となったか否かを判定する（ステップＳ１０５）。
【００７６】
ここで、平均輝度値が移行条件となっていない場合（ステップＳ１０５否定）、ステップＳ１０３に戻って、スキャン制御部３３の制御のもと、予備スキャンが継続される。
【００７７】
一方、平均輝度値が移行条件となった場合（ステップＳ１０５肯定）、スキャン移行制御部３８ｄは、スキャン制御部３３を介して、メインスキャンに移行するように制御する（ステップＳ１０６）。なお、遅延時間が設定されている場合、閾値判定部３８ｃは、平均輝度値が閾値に到達してから設定された遅延時間が経過した時点を、移行条件となった時点として判定する。
【００７８】
そして、スキャン移行制御部３８ｄは、メインスキャンの終了条件となったか否かを判定する（ステップＳ１０７）。
【００７９】
ここで、スキャン移行制御部３８ｄは、メインスキャンの終了条件となっていない場合（ステップＳ１０７否定）、メインスキャンを継続するように制御して、メインスキャンの終了要求を受け付けるまで待機する。
【００８０】
一方、スキャン移行制御部３８ｄは、メインスキャンの終了条件となった場合（ステップＳ１０７肯定）、処理を終了する。
【００８１】
上述してきたように、本実施例では、表示制御部３８ａは、「造影剤濃度を解析するための関心領域」および「メインスキャンに移行するための移行条件」の設定用ＧＵＩを表示装置３２に表示させて、操作者から入力された関心領域および移行条件の情報を、設定情報記憶部３８ｂに格納する。そして、予備スキャン実行時において、閾値判定部３８ｃは、予備スキャン実行時において生成された「特定位相の補正済み投影データ」の関心領域における平均輝度値を算出し、投影データ記憶部３５が記憶する移行条件となったか否かを判定する。そして、スキャン移行制御部３８ｄは、移行条件となった時点で、スキャン制御部３３に対し、メインスキャンに移行するように制御する。
【００８２】
したがって、本実施例では、ＣＴ画像を再構成することなく「補正済み投影データ」により予備スキャンを実行することができ、上記した主たる特徴の通り、造影剤濃度を解析するために要する処理の負荷を軽減することが可能になる。
【００８３】
また、本実施例では、予備スキャンにおいて特定位相のみでＸ線を曝射するので、被ばく量を低減することができるとともに、被ばくに対する感受性の低い背側をＸ線照射方向するなどして、被検体Ｐに対する被ばくの影響を軽減することができる。
【００８４】
また、従来のＣＴ画像を再構成する予備スキャンでは、薄いスライスに対して連続的にＸ線を照射していたが、本実施例では、面検出器としてのＸ線検出器１３により、体軸方向に沿って広い範囲で予備スキャンを行なうので、被検体Ｐに対するＸ線被ばくを分散することができる。
【００８５】
また、従来の予備スキャンおよびメインスキャンでは、予備スキャンにて造影剤濃度を解析するための関心領域の中心位置と、メインスキャンの撮像部位との中心位置が異なる場合、天板２２の移動が必要となるため、メインスキャンへ速やかに移行することができない場合があった。しかし、本実施例では、面検出器としてのＸ線検出器１３を利用して生成された補正済み投影データを解析対象とすることで、被検体Ｐの体軸方向に広い範囲で造影状況を解析することができ、さらに、予備スキャンとメインスキャンと被検体Ｐの位置を移動する必要がなくなるので、メインスキャンへ速やかに移行することができる。
【００８６】
なお、スキャン制御部３３は、メインスキャンに移行した時点において、天板２２の位置を移動不可とするように寝台駆動制御装置２１を制御してもよい。これによっても、予備スキャンからメインスキャンに速やかに移行することができる。
【００８７】
また、本実施例では、体軸方向に広い範囲で造影効果を解析可能であるため、予備スキャンとメインスキャンとで、コリメータ１２ｃの開口度および位置を調整して、被検体Ｐに対する被ばくを低減したうえで、造影剤濃度の解析領域を高い自由度で設定することができる。
【００８８】
また、本実施例では、ＣＴ再構成を行なわないので、迅速に関心領域における造影剤濃度を解析することができ、例えば、操作者は、閾値を調整することで、遅延時間の設定をする必要がなくなる。
【００８９】
なお、上記した実施例では、Ｘ線管球およびＸ線検出器のペアが１つの場合について説明したが、本発明はこれに限定されるものではなく、Ｘ線管球およびＸ線検出器のペアが複数の場合であってもよい。これについて、図１０を用いて説明する。なお、図１０は、第一の変形例を説明するための図である。
【００９０】
例えば、図１０の（Ａ）に示すように、Ｘ線ＣＴ装置がＸ線管球およびＸ線検出器のペアを２つ（系１および系２）有し、特定位相が被検体Ｐの背側として設定されている場合、系１のＸ線管球が特定位相となったのちに、回転フレームが時計周りに９０度回転すると、系２のＸ線管球が特定位相となる。
【００９１】
そこで、第一の変形例では、図１０の（Ｂ）に示すように、系１および系２のＸ線管球それぞれが特定位相となった時点で、Ｘ線を曝射するように制御する。これにより、単位時間あたりに生成される補正済み投影データの数を多くすることができ、その結果、造影剤濃度の時間軸に沿った変化をより細かく解析することが可能となる。
【００９２】
また、上記した実施例では、１つの補正済み投影データを用いて造影剤濃度を解析する場合について説明したが、本発明はこれに限定されるものではなく、複数の補正済み投影データを用いて造影剤濃度を解析する場合であってもよい。これについて、図１１を用いて説明する。なお、図１１は、第二の変形例を説明するための図である。
【００９３】
第二の変形例では、前処理部３４によって所定の期間に生成された特定位相の複数の補正済み投影データを加算した加算データを、造影剤濃度を解析するための解析対象とする。具体的には、第二の変形例では、「特定位相付近の連続した複数の補正済み投影データ」を加算した加算データを、造影剤濃度を解析するための解析対象とする。例えば、回転フレーム１５の１回転を「１０００」に分割して特定位相を「位置：５００」とした場合、第二の変形例では、図１１に示すように、同一回転の位置「４９９、５００および５０１」にてＸ線が曝射されることにより、前処理部３４が生成した「特定位相付近の３つの補正済み投影データ」を加算した加算データを、造影剤濃度を解析するための解析対象とする。すなわち、第二の変形例では、加算データを解析対象とすることで、画像としての解像度を向上させることができ、造影剤濃度の解析をより精度よく行なうことが可能となる。また、予備スキャンとメインスキャンとの間で、管電流を大幅に変動させる必要がないので、Ｘ線ＣＴ装置におけるＸ線制御を簡略化することができる。なお、第二の変形例において加算される補正済み投影データの数は、被検体Ｐの動きによるブレが発生しない期間であるならば、回転フレーム１５の回転速度に応じて任意に変更可能である。
【００９４】
なお、上記した実施例では、前処理部３４によって生成された補正済み投影データを用いて造影剤濃度を解析する場合について説明したが、本発明はこれに限定されるものではなく、例えば、チャンネル間の感度補正処理が行なわれている投影データであるならば、データ収集部１４によって生成された投影データを用いて造影剤濃度を解析する場合であってもよい。
【００９５】
また、上記した実施例では、Ｘ線検出器１３の検出素子列が３２０列である場合について説明した。しかし、体軸方向に沿って造影効果の情報が収集可能な幅を有する面検出器としてのＸ線検出器１３であるならば、本発明を適用することが可能である。
【産業上の利用可能性】
【００９６】
以上のように、本発明に係るＸ線コンピュータ断層撮影装置および撮影制御プログラムは、予備スキャンによって被検体に投与した造影剤の関心領域における濃度である造影剤濃度を解析し、造影剤濃度が所定の条件となった時点でメインスキャンを開始する場合に有用であり、特に、造影剤濃度を解析するために要する処理の負荷を軽減することに適する。
【符号の説明】
【００９７】
１０  架台装置
１１  架台制御部
１１ａ  高電圧発生部
１１ｂ  コリメータ調整部
１１ｃ  架台駆動部
１２  Ｘ線発生装置
１２ａ  Ｘ線管球
１２ｂ  ウェッジ
１２ｃ  コリメータ
１３  Ｘ線検出器
１４  データ収集部
２０  寝台装置
２１  寝台駆動装置
２２  天板
３０  コンソール装置
３１  入力装置
３２  表示装置
３３  スキャン制御部
３４  前処理部
３５  投影データ記憶部
３６  画像再構成処理部
３７  画像記憶部
３８  システム制御部
３８ａ  表示制御部
３８ｂ  設定情報記憶部
３８ｃ  閾値判定部
３８ｄ  スキャン移行制御部
【図１】
2014023962.tif 000003
【図２】
2014023962.tif 000004
【図３】
2014023962.tif 000005
【図４】
2014023962.tif 000006
【図５】
2014023962.tif 000007
【図６】
2014023962.tif 000008
【図７】
2014023962.tif 000009
【図８】
2014023962.tif 000010
【図９】
2014023962.tif 000011
【図１０】
2014023962.tif 000012
【図１１】
2014023962.tif 000013